(57)【要約】【課題】ユーザが誘引捕殺テープを立てた状態で引っ張ることが可能であり、誘引捕殺テープの展張作業を簡単且つ迅速に行うことが可能な、収容装置を提供することを目的とする。【解決手段】筒部１０２の側面に巻かれたテープ類１００を立てた状態で引っ張るために回転支持可能に収容する収容装置１であって、立てた状態で収容された前記テープ類１００を、前記収容装置１の上下方向で支える一対の板部４と、立てた状態で収容された前記テープ類１００を立てた状態で引っ張るときにかかる力に対して、一対の前記板部４を上下方向で補強する補強部３と、を備えた。【選択図】図１
0003150352.tif 000002
【実用新案登録請求の範囲】
【請求項１】
筒部の側面に巻かれたテープ類を立てた状態で引っ張るために、該テープ類を回転支持可能に収容する収容装置であって、
立てた状態で収容された前記テープ類を、前記収容装置の上下方向で支える一対の板部と、
立てた状態で収容された前記テープ類を立てた状態で引っ張るときにかかる力に対して、前記一対の板部を上下方向で補強する補強部と、を備える、
収容装置。
【請求項２】
前記テープ類、前記一対の板部、及び前記補強部を囲う箱部と、
前記箱部に設けられる孔部であって、引っ張られた前記テープ類の面が立てた状態になるように開口されている孔部と、を更に備える、
請求項１に記載の収容装置。
【請求項３】
前記一対の板部と、前記補強部と、前記箱部が、別々の部材で構成されており、
前記箱部が、所定の箇所において折られることにより、該箱部の上方が開いた状態で組み立てられ、
前記一対の板部の一方が、前記箱部の上方から該箱部の底面に設けられ、
前記補強部が、前記一対の板部の一方の角部に、該板部の面に対して垂直方向に設けられ、
前記テープ類が、前記箱部の上方から前記一対の板部の一方の上面に設けられ、
前記一対の板部の他方が、前記テープ類の上面に設けられることで、該テープ類を前記一対の板部の一方と上下方向で挟み、
前記補強部が、前記一対の板部の他方の角部に、該板部の面に対して垂直方向に設けられることにより、前記一対の板部に挟まれ、
前記箱部が、所定の箇所において折られることにより、該箱部の上方が閉じた状態になる、
請求項２に記載の収容装置。
【請求項４】
前記補強部は、少なくとも２つ設けられる、
請求項1から３の何れか一項に記載の収容装置。
【請求項５】
前記テープ類は、粘着性のあるテープであり、
前記筒部の側面に巻かれた前記テープ類の重量は、２ｋｇ以上であり、
前記筒部の側面に巻かれた前記テープ類の長さは、５０ｍ以上であり、
前記テープ類の引っ張り抵抗力は、１０ｍ引っ張られた時に、３ｋｇ以上である、
請求項１から４の何れか一項に記載の収容装置。
【請求項６】
前記一対の板部の厚さは、１０〜３０ｍｍである、
請求項１から５の何れか一項に記載の収容装置。
【請求項７】
請求項１から６の何れか一項に記載の収容装置は、素材が紙製である、
収容装置。
【請求項８】
前記テープ類は、飛翔している害虫を誘引して捕殺する飛翔害虫誘引捕殺テープである、
請求項１から７の何れか一項に記載の収容装置。
【考案の詳細な説明】
【技術分野】
【０００１】
本考案は、筒部の側面に巻かれたテープ類を立てた状態で引っ張るために回転支持可能に収容される収容装置に関する。
【背景技術】
【０００２】
従来から、色で害虫を誘引し、粘着剤で捕殺する飛翔害虫誘引捕殺テープは、捕殺能力とコスト削減のみが重視されている。飛翔害虫誘引捕殺テープを筒等の側面に巻いた飛翔害虫誘引捕殺ロールは、ビニール袋に入れる等の単純な包装しかなされておらず、粘着性の高い飛翔害虫誘引捕殺テープをビニールハウス等の所定の場所に設置する作業を考慮した飛翔害虫誘引捕殺ロールは開発されていない。従って、ユーザが飛翔害虫誘引捕殺テープを用いる際は、ビニール袋等の包装から飛翔害虫誘引捕殺ロールが取り出され、飛翔害虫誘引捕殺ロールに適当なパイプや塩化ビニル管などのロール芯が通され、飛翔害虫誘引捕殺テープが引っ張られて所定の場所に貼られる展張作業が行われるのが現状である。
【０００３】
また、従来から、リールボックスには多種多様なものが存在する（非特許文献１を参照）。リールボックスの具体例として、ボビン、ドラム、ロール、リールインボックスなどが挙げられるが、粘着性のない帯や、引っ張り抵抗がクラフトテープ程度の弱い製品に用いられるものしか開発されていない。
【先行技術文献】
【非特許文献】
【０００４】
【非特許文献１】http://www.fukui-youdaru.co.jp/bobin
【考案の概要】
【考案が解決しようとする課題】
【０００５】
従来、飛翔害虫誘引捕殺テープが用いられる際は、飛翔害虫誘引捕殺ロール（以下、誘引捕殺ロールと記載する。）にロール芯が通され、飛翔害虫誘引捕殺テープ（以下、誘引捕殺テープと記載する。）が引っ張られて所定の場所に貼られる展張作業が行われる。ユーザが展張作業を行う際、誘引捕殺テープの面を寝かした状態が、ユーザにとって最も負担の少ない誘引捕殺ロールの持ち方である。しかし、誘引捕殺テープが所定の場所に貼られる際は、立てられた状態である。従って、寝かした状態の誘引捕殺テープを立てなければならず、誘引捕殺テープがねじれてしまい、引っ張られた誘引捕殺テープ同士が付着するなど、ユーザにとって不便である。そこで、誘引捕殺テープがねじれにくく、引っ張られた誘引捕殺テープ同士が付着し難くするために、ユーザは誘引捕殺テープが立てられた状態で引っ張る必要がある。
【０００６】
ユーザが展張作業を行う際、誘引捕殺テープが立てられた状態で引っ張るためには、リールボックスが必要である。しかし、誘引捕殺テープは粘着性が非常に高く、誘引捕殺テープが１０ｍ引っ張られた時、引っ張り抵抗力が３ｋｇ以上ある。また、誘引捕殺ロールは重量が大きく、筒等に巻かれる誘引捕殺テープの長さも長い。更に、そのような誘引捕殺ロールの使用に十分に耐えることが可能なリールボックスが開発されていない。そこで本考案は、ユーザが誘引捕殺テープを立てた状態で引っ張ることが可能であり、誘引捕殺テープの展張作業を簡単且つ迅速に行うことが可能な、収容装置を提供することを目的とする。
【課題を解決するための手段】
【０００７】
本考案は、上記課題を解決するために補強部を設け、板部の強度を補強する点を工夫し
た。これによって、本考案に係る収容装置は、テープ類を立てた状態で引っ張られ、テープ類の展張作業を簡単且つ迅速に行うことが可能である。
【０００８】
詳細には、本考案に係る収容装置は、筒部の側面に巻かれたテープ類を立てた状態で引っ張るために、該テープ類を回転支持可能に収容する収容装置であって、立てた状態で収容された前記テープ類を、前記収容装置の上下方向で支える一対の板部と、立てた状態で収容された前記テープ類を立てた状態で引っ張るときにかかる力に対して、前記一対の板部を上下方向で補強する補強部と、を備える。
【０００９】
本考案に係る収容装置は、筒部の側面に巻かれたテープ類を立てた状態で引っ張るために、該テープ類を回転支持可能に収容する。また、一対の板部が、立てた状態で収容されたテープ類を、収容装置の上下方向で支える。更に、補強部が、立てた状態で収容されたテープ類を立てた状態で引っ張るときにかかる力に対して、一対の板部を上下方向で補強する。その結果、本考案に係る収容装置は、テープ類を立てた状態で引っ張ることが可能であり、テープ類がねじれにくく、引っ張られたテープ類同士を付着し難くすることが可能である。従って、本考案に係る収容装置は、テープ類が引っ張られて所定の場所に貼られる展張作業を簡単且つ迅速に行うことが可能である。
【００１０】
ここで本考案において、前記テープ類、前記一対の板部、及び前記補強部を囲う箱部と、前記箱部に設けられる孔部であって、引っ張られた前記テープ類の面が立てた状態になるように開口されている孔部と、を更に備えてもよい。
【００１１】
箱部が、テープ類、一対の板部、及び補強部を囲う。その結果、本考案に係る収容装置は、テープ類を保護することが可能である。また、孔部は、箱部に設けられ、引っ張られたテープ類の面が立てた状態になるように開口される。その結果、テープ類が孔部と接触することが無い。従って、本考案に係る収容装置は、テープ類の幅が維持され、テープ類がねじれにくく、ひろげたテープ類同士が付着し難く、テープの粘着剤が手に付き難い効果を有する。
【００１２】
また、本考案に係る収容装置は、前記一対の板部と、前記補強部と、前記箱部が、別々の部材で構成されており、前記箱部が、所定の箇所において折られることにより、該箱部の上方が開いた状態で組み立てられ、前記一対の板部の一方が、前記箱部の上方から該箱部の底面に設けられ、前記補強部が、前記一対の板部の一方の角部に、該板部の面に対して垂直方向に設けられ、前記テープ類が、前記箱部の上方から前記一対の板部の一方の上面に設けられ、前記一対の板部の他方が、前記テープ類の上面に設けられることで、該テープ類を前記一対の板部の一方と上下方向で挟み、前記補強部が、前記一対の板部の他方の角部に、該板部の面に対して垂直方向に設けられることにより、前記一対の板部に挟まれ、前記箱部が、所定の箇所において折られることにより、該箱部の上方が閉じた状態になってもよい。従って、本考案に係る収容装置は、組み立てが容易であり、テープ類が引っ張られて所定の場所に貼られる展張作業を簡単且つ迅速に行うことが可能である。
【００１３】
また、本考案に係る収容装置において、前記補強部は、少なくとも２つ設けられてもよい。補強部が少なくとも２つ設けられることにより、収容装置がより強固となる。その結果、本考案に係る収容装置は、テープ類の重量の大きい場合や、テープ類の引っ張り抵抗力が強い場合であっても、収容装置が壊れにくく、テープ類を立てた状態で引っ張ることが可能である。
【００１４】
更に、本考案に係る収容装置において、前記テープ類は、粘着性のあるテープであり、前記筒部の側面に巻かれた前記テープ類の重量は、２ｋｇ以上であり、前記筒部の側面に巻かれた前記テープ類の長さは、５０ｍ以上であり、前記テープ類の引っ張り抵抗力は、
１０ｍ引っ張られた時に、３ｋｇ以上である。本考案に係る収容装置は、このように粘着剤の粘度が高く、重量の大きいテープ類であっても、テープ類を立てた状態で引っ張ることが可能であり、テープ類が引っ張られて所定の場所に貼られる展張作業を簡単且つ迅速に行うことが可能である。
【００１５】
また、本考案に係る収容装置は、前記板部の厚さが１０〜３０ｍｍでもよい。本考案に係る収容装置は、板部の厚さが１０〜３０ｍｍと分厚いことにより、テープ類を強固に回転支持することが可能である。更に、板部が分厚いことにより板部の強度が向上し、本考案に係る収容装置のねじれ強度を向上させることが可能である。
【００１６】
更に、本考案に係る収容装置は、素材が紙製でもよい。本考案に係る収容装置は、素材が紙製であることにより、廃棄時の負担の軽減が可能である。
【００１７】
また、本考案に係る収容装置において、前記テープ類は、飛翔している害虫を誘引して捕殺する飛翔害虫誘引捕殺テープでもよい。飛翔害虫誘引捕殺テープは、飛翔している害虫を誘引して捕殺するため、粘着剤の粘度が非常に高い。従って、本考案に係る収容装置は、飛翔害虫誘引捕殺テープを立てた状態で引っ張ることが可能であるため、飛翔害虫誘引捕殺テープが引っ張られて所定の場所に貼られる展張作業を簡単且つ迅速に行うことが可能である。更に、飛翔害虫誘引捕殺テープの粘着剤が手に付きにくい効果を有する。
【考案の効果】
【００１８】
本考案によれば、誘引捕殺テープを立てた状態で引っ張ることが可能であり、誘引捕殺テープの展張作業を簡単且つ迅速に行うことが可能な収容装置を提供することが可能である。
【図面の簡単な説明】
【００１９】
【図１】本考案の実施例に係る収容装置の構成を表した概略図である。
【図２】本考案の実施例に係る収容装置の板部の上面図である。
【図３】本考案の実施例に係る収容装置の箱部の展開図である。
【図４−１】本考案の実施例に係る収容装置の組立方法を表す図である。
【図４−２】本考案の実施例に係る収容装置の組立方法を表す図である。
【図４−３】本考案の実施例に係る収容装置の組立方法を表す図である。
【図４−４】本考案の実施例に係る収容装置の組立方法を表す図である。
【図４−５】本考案の実施例に係る収容装置の組立方法を表す図である。
【図５−１】本考案の実施例に係る収容装置の斜視図である。
【図５−２】本考案の実施例に係る収容装置の斜視図である。
【図５−３】本考案の実施例に係る収容装置の斜視図である。
【考案を実施するための形態】
【００２０】
ここで、本考案の実施例に係る収容装置１について、図面に基づいて説明する。以下に示す実施例は例示であり、本考案はこれらに限定されるものではない。図１は、本考案の実施例に係る収容装置１の構成を表した概略図である。図２は、本考案の実施例に係る収容装置１の板部４の上面図である。図３は、本考案の実施例に係る収容装置１の箱部５の展開図である。
【００２１】
本考案の実施例に係る収容装置１は、飛翔害虫誘引捕殺ロール１０１（以下、誘引捕殺ロール１０１と記載する。）を包装する。誘引捕殺ロール１０１は、飛翔害虫誘引捕殺テープ１００（以下、誘引捕殺テープ１００と記載する。）が筒部１０２（図１を参照。）の側面に巻かれたものである。筒部１０２は、丸く細長く中が空になっている筒状のものである。誘引捕殺テープ１００とは、色で飛翔している害虫を誘引し、強力な粘着剤で害
虫を捕殺するテープのことである。本考案の実施例に係る誘引捕殺テープ１００は、筒部１０２の側面に巻かれた長さが１００ｍであり、色が黄色、幅が２０ｃｍ、重量が約３．５ｋｇである。また、誘引捕殺テープ１００の引っ張り抵抗は、１０ｍ引っ張られた時に、３ｋｇ以上ある。尚、本考案の実施例に係る収容装置１は、誘引捕殺テープ１００に限定されず、他のテープ類にも用いることが可能である。また、本考案の実施例に係る収容装置１の素材は、ダンボールである。ダンボールを用いることにより、捕殺誘引ロール１０１の重量、大きさに応じて、任意に寸法や強度を変更することが可能である。尚、ダンボールに限定されず他の紙製を用いてもよい。素材が紙製であることにより、廃棄時の負担を軽減することが可能である。
【００２２】
＜収容装置の構成＞
本考案の実施例に係る収容装置１は、回転支持部２と、補強部３と、板部４と、箱部５と、孔部６と、持手部７を主な構成とする。以下、図１から図３を基に具体的に説明する。
【００２３】
先ず、回転支持部２について説明する。回転支持部２は、図１に示すように、中空で円柱状の棒であり、誘引捕殺ロール１０１が有する筒部１０２の中を貫き、誘引捕殺ロール１０１の回転を支持する。尚、回転支持部２は、中が中空でなくてもよく、誘引捕殺ロール１０１の回転を支持することが可能な形状であればよい。本考案の実施例に係る収容装置１の回転支持部２は、肉厚が約３ｍｍ、径が約２５ｍｍの紙製の管を用いることとするが、このサイズに限定されるものではない。
【００２４】
補強部３について説明する。補強部３は、図１に示すように、立てた状態で収容装置１に収容された誘引捕殺ロール１０１を立てた状態で引っ張るときにかかる力に対して、一対の板部４を上下方向で補強することが可能である。また、補強部３が少なくとも２つ設けられることにより、板部４がより強固となる。その結果、本考案の実施例に係る収容装置１は、誘引捕殺テープ１００の重量の大きい場合や、誘引捕殺テープ１００の引っ張り抵抗力が強い場合であっても、収容装置１が壊れにくい。尚、本考案の実施例に係る収容装置１では、誘引捕殺テープ１００の粘着度、重さ等に応じて、設ける補強部３の数を調整する。また、補強部３は、中が中空でなくてもよく、板部を上下方向で補強することが可能な形状であればよい。本考案の実施例に係る収容装置１の補強部３は、肉厚が約３ｍｍ、径が約２５ｍｍの紙製の管を用いることとするが、このサイズに限定されるものではない。
【００２５】
板部４について説明する。板部４は、図２に示すように、中央に回転支持部２と同じ径の孔である中央孔４３が形成される。本考案の実施例に係る収容装置１の回転支持部２の径が約２５ｍｍであるため、中央孔４３の径も約２５ｍｍと設定する。一対の板部４は、立てた状態で収容された誘引捕殺ロール１０１を、収容装置１の上下方向で支え、中央孔４３を回転支持部２の先端と嵌合し、箱部５の箱部底面部５２及び箱部上面部５３に配置する（図１を参照。）。更に、板部４は、略正方形の四つの角部に、弧状に切り取られた切欠部４４が設けられる。切欠部４４は、補強部３の先端と嵌合することが可能な形状である。また、本考案の実施例に係る収容装置１は、板部４の厚さが１０〜３０ｍｍと分厚いことにより、誘引捕殺ロール１０１が板部４を押す圧力を抑え、回転支持部２が板部４の中央孔４３から抜けてしまうことを防止することが可能である。更に、板部４が分厚いことにより板部４の強度が向上し、本考案に係る収容装置１のねじれ強度を向上させることが可能である。本考案の実施例に係る収容装置１の板部４は、Ａ／Ｆ（エーフルート）５ｍｍダンボールと、Ｂ／Ｆ（ビーフルート）３ｍｍダンボールを貼り合わせた構造であるＷ／Ｆ（ダブルフルート）を二重にしたものを用いる（図２を参照。）。尚、Ｗ／Ｆ（ダブルフルート）を二重にしたものの厚さは、１５ｍｍ程度である。
【００２６】
箱部５について説明する。箱部５は、図１に示すように、誘引捕殺ロール１０１、回転支持部２、板部４、補強部３を囲うことが可能な直方体の箱であり、誘引捕殺ロール１０１を保護することが可能である。具体的に説明すると、図３に示すように、箱部５は、４つの箱部側面部５１、４つの箱部底面部５２、及び４つの箱部上面部５３から形成されている。箱部側面部５１は長方形の形状であり、４つ連結されている。そして、相対する箱部側面部５１が平行になるように配置される（図１を参照。）。箱部底面部５２は、箱部側面部５１の底辺５１１と接続されており、箱部５の底面全体の面積の半分の長方形である。尚、箱部底面部５２は、隣接する箱部底面部５２とは接続されておらず、箱部側面部５１の底辺５１１とのみ接続されている。箱部底面部５２が、箱部５の中心方向に直角に折られることにより、箱部５の底面が形成される。箱部底面部５２が４つあるため、対向する箱部底面部５２は２組ある。従って、実際には、箱部５の底面が二重に形成される。
【００２７】
箱部上面部５３は、箱部側面部５１の上辺５１２と接続されており、箱部５の上面全体の面積の半分の長方形である。尚、箱部上面部５３は、隣接する箱部上面部５３とは接続されておらず、箱部側面部５１の上辺５１２とのみ接続されている。箱部上面部５３が、箱部５の中心方向に直角に折られることにより、上面が形成される。箱部上面部５３が４つあるため、対向する箱部上面部５３は２組ある。従って、実際には、箱部底面部５２と同様に、箱部５の上面が二重に形成されている。
【００２８】
孔部６について説明する。孔部６は、図１及び図３に示すように、箱部側面部５１に設けられ、引っ張られた誘引捕殺テープ１００の面が立てた状態になるように開口されており、箱部側面部５１の辺を残すように設けられる。また、孔部６は、誘引捕殺テープ１００が引っ張られる面に設けられる。尚、本考案の実施例に係る収容装置１は、箱部５が組み立てられる前に、孔部６の形状をした抜き型により孔部６を抜き取ってもよい。
【００２９】
持手部７について説明する。孔部６が設けられた箱部側面部５１と隣接する箱部側面部５１には、該箱部側面部５１の辺を残すように孔部７１が設けられる。孔部６が設けられた箱部側面部５１と対向する箱部側面部５１には、該箱部側面部５１の辺を残すように孔部７２が設けられる（図１及び図２を参照。）。持手部７は、孔部７１が設けられた箱部側面部５１と、孔部７２が設けられた箱部側面部５１の間にある辺のことである。ユーザが持手部７を持つことにより、容易に収容装置１を持ち上げ、移動することが可能である。
【００３０】
＜収容装置の組立方法＞
次に、本考案の実施例に係る収容装置１の組み立て方法について説明する。図４−１から図４−５は、本実施例に係る収容装置１の組立方法を表す図である。図５−１から図５−３は、本考案の実施例に係る収容装置１を色々な角度から見た斜視図である。
【００３１】
先ず、本考案の実施例に係る収容装置１は、相対する箱部側面部５１が平行になるように配置され（図４−１を参照。）、箱部底面部５２が箱部５の中心方向に直角に折られ、箱部５の底面が形成される（不図示）。対向する箱部底面部５２は２組あるため、箱部５の底面は二重に形成される。また、二重の底面の内、外側に形成された箱部５の底面の箱部底面部５２の境を、ガムテープ等で固定する（不図示）。そして、箱部５の内側から箱部底面部５２上に一方の板部４１が配置され、一方の板部４１が有する切欠部４４に補強部３が嵌合される。本考案の実施例に係る収容装置１の補強部３は２本設けられるものとする。
【００３２】
次に、回転支持部２の下方が一方の板部４１が有する中央孔４３に嵌合される（図４−２参照）。２本の補強部３と１本の回転支持部２は、一方の板部４１の面に対して垂直方向、且つ、箱部５の箱部側面部５１の面に対して平行方向に設けられる。また、２本の補
強部３と１本の回転支持部２は、互いに平行に位置する。
【００３３】
次に、誘引捕殺ロール１０１の筒部１０２が、箱部５の上方から回転支持部２に差し込まれる（図４−３参照）。この際、誘引捕殺ロール１０１の側面は、箱部５の箱部側面部５１に囲まれ、誘引捕殺ロール１０１の底面は、一方の板部４１と接する。その結果、本考案の実施例に係る収容装置１は、誘引捕殺ロール１０１を立てた状態で引っ張るために回転支持可能に収容することが可能である。
【００３４】
次に、他方の板部４２が誘引捕殺ロール１０１の上面に配置される（図４−４参照）。具体的に説明すると、回転支持部２の上方が他方の板部４２の中央孔４３に嵌合される。そして、２本の補強部３が他方の板部４２の切欠部４４に嵌合される。その結果、一方の板部４１と他方の板部４２が回転支持部２の両端を挟むことにより、立てた状態で収容された誘引捕殺テープ１００を、収容装置１の上下方向で支えることが可能である。
【００３５】
次に、箱部５の箱部上面部５３が箱部５の中心方向に直角に折られ、箱部５の上面が形成される（図４−５を参照。）。対向する箱部上面部５３が２組あるため、箱部５の上面は二重に形成される。また、二重の上面の内、外側に形成された箱部５の上面を形成する箱部上面部５３の境を、ガムテープ等で固定する（不図示）。以上により、本考案の実施例に係る収容装置１が組み立てられる。
【００３６】
図５−１及び図５−３に示すように、箱部側面部５１には、誘引捕殺テープ１００の幅を有する孔部６が設けられる。孔部６は、引っ張られた誘引捕殺テープ１００の面が立てた状態になるように開口されているため、誘引捕殺テープ１００が孔部６と接触することが無い。従って、本考案の実施例に係る収容装置１は、誘引捕殺テープ１００の幅が維持され、誘引捕殺テープ１００がねじれにくく、引っ張られた誘引捕殺テープ１００同士が付着し難くい。
【００３７】
また、図５−２に示すように、孔部７１が設けられた箱部側面部５１と、孔部７２が設けられた箱部側面部５１の間に持手部７が設けられる。ユーザが持手部７を持つことにより、容易に収容装置１を持ち上げ、移動することが可能である。
【００３８】
以上により、本考案の実施例に係る収容装置１は、粘着剤の粘度が高く、重量の大きい誘引捕殺テープ１００を立てた状態で引っ張ることが可能であり、誘引捕殺テープ１００がねじれにくく、引っ張られた誘引捕殺テープ１００同士を付着し難くすることが可能である。従って、本考案に実施例に係る収容装置１は、誘引捕殺テープ１００が引っ張られて所定の場所に貼られる展張作業を簡単且つ迅速に行うことが可能である。
【符号の説明】
【００３９】
１・・・収容装置
２・・・貫通部
３・・・補強部
４・・・板部
４１・・・一方の板部
４２・・・他方の板部
４３・・・中央孔
４４・・・切欠部
５・・・箱部
５１・・・箱部側面部
５１１・・・底辺
５１２・・・上辺
５２・・・箱部底面部
５３・・・箱部上面部
６・・・孔部
７・・・持手部
１００・・・飛翔害虫誘引捕殺テープ
１０１・・・飛翔害虫誘引捕殺ロール
１０２・・・筒部
【図１】
0003150352.tif 000003
【図２】
0003150352.tif 000004
【図３】
0003150352.tif 000005
【図４−１】
0003150352.tif 000006
【図４−２】
0003150352.tif 000007
【図４−３】
0003150352.tif 000008
【図４−４】
0003150352.tif 000009
【図４−５】
0003150352.tif 000010
【図５−１】
0003150352.tif 000011
【図５−２】
0003150352.tif 000012
【図５−３】
0003150352.tif 000013